(57)【要約】【課題】使用後に掃除機本体に設けた電源コードの先端部のプラグを拘束するプラグ保持部に、プラグを収納してから電源コードをコードリールに巻取るように構成することにより、プラグの暴れを確実に防止することのできる安全で信頼性の高い電気掃除機を提供すること。【解決手段】内部に、電動送風機が収容された電動送風機室及び電源コード５１が巻かれるコードリールが収容されたコードリール室が設けられた掃除機本体１を有し、この掃除機本体１に、電源コード５１の先端部に設けたプラグ５２を拘束するプラグ保持部１０を設けた。【選択図】図１
2011139765.tif 000002
【特許請求の範囲】
【請求項１】
内部に、電動送風機が収容された電動送風機室及び電源コードが巻かれるコードリールが収容されたコードリール室が設けられた掃除機本体を有し、
該掃除機本体に、前記電源コードの先端部に設けたプラグを拘束するプラグ保持部を設けたことを特徴とする電気掃除機。
【請求項２】
前記プラグ保持部を、前記プラグを収納する凹部によって形成したことを特徴とする請求項１記載の電気掃除機。
【請求項３】
前記プラグ保持部を、前記掃除機本体を構成する下ケース又は上ケースに設けたことを特徴とする請求項１又は２記載の電気掃除機。
【請求項４】
前記プラグ保持部に、開閉可能な蓋体を設けたことを特徴とする請求項１〜３のいずれかに記載の電気掃除機。
【請求項５】
前記掃除機本体に開閉可能な蓋体を設け、該蓋体に前記プラグを収納する凹部を設けたことを特徴とする請求項１記載の電気掃除機。
【請求項６】
前記プラグ保持部を構成する凹部の底部に、前記コードリールを操作するコード巻取りボタンを上下動可能に配設したことを特徴とする請求項２〜４のいずれかに記載の電気掃除機。
【請求項７】
前記プラグ保持部を構成する凹部の開口部に、幅狭部を設けたことを特徴とする請求項２〜６のいずれかに記載の電気掃除機。
【請求項８】
前記プラグ保持部を構成する凹部の両側壁に嵌合凹部を設けると共に、前記プラグの両側壁に前記嵌合凹部に嵌合する凸部を設けたことを特徴とする請求項２〜６のいずれかに記載の電気掃除機。
【請求項９】
前記プラグ保持部を、前記掃除機本体に前記プラグのプラグ刃に対応して設けた貫通穴と、上端部に係止爪を有し前記貫通穴の両側に対向して立設された一対の保持片とによって構成したことを特徴とする請求項１記載の電気掃除機。
【請求項１０】
前記プラグ保持部を、前記掃除機本体に前記プラグのプラグ刃に対応して設けた貫通穴及びその両側に設けたガイド穴と、上端部に中央部側に突出する係止爪を有し下部が前記ガイド穴に摺動可能に挿入され、前記掃除機本体との間に介装された弾性体により中央部側に付勢された一対の可動保持片とによって構成したことを特徴とする請求項１記載の電気掃除機。
【請求項１１】
前記プラグ保持部を、前記掃除機本体に前記プラグのプラグ刃に対応して設けた貫通穴と、下部に中央部側に突出する脚部を有し上部に前記プラグ刃の穴に係止する係止突部が設けられて前記掃除機本体の下方において前記貫通穴の両側に対向配置され、前記掃除機本体との間に介装された弾性体により中央部側に付勢された一対の可動保持部と、該可動保持部の前記脚部上方に上下に移動可能に配設された解除体とによって構成したことを特徴とする請求項１記載の電気掃除機。
【発明の詳細な説明】
【技術分野】
【０００１】
本発明は電気掃除機に係り、より詳しくは、コード巻取り装置を備えた電気掃除機において、電源コードを巻き取る際に先端部に設けたプラグが暴れるのを防止するようにした電気掃除機に関するものである。
【背景技術】
【０００２】
コード巻取り装置を備えた電気掃除機において、電源コードを巻き取る際にコードリールが勢いよく回転するため、電源コードが巻き込まれる速度が非常に早く、そのため電源コードの先端部（電源プラグ）が床面との間で跳ねたり、あるいは敷居の段差部や障害物を乗り越える際に電源コードの先端部が急に跳ね上ったりして暴れることがあり、使用者に当ることがあって危険であった。
【０００３】
このような問題を解決するために、掃除機本体に形成されたコードを引き出す出口部に電磁アクチュエーターの駆動部と連動するコードリールガイドを設けて、ある一定時間の間隔でコードとコードリールガイドが摺動したり、非接触になるようにして、コードの巻き込み速度を減速してある一定速度を越えないようにしたものがある（例えば、特許文献１参照）。
【先行技術文献】
【特許文献】
【０００４】
【特許文献１】特開平７−３９５０１号公報（第３−４頁、図１）
【発明の概要】
【発明が解決しようとする課題】
【０００５】
特許文献１の電気掃除機においては、コードを巻き込むときの速度を減速するだけなので、減速してもコードの先端部（電源プラグ）はフリー状態なので、巻き込む際の先端の暴れを完全に防止することは困難である。
【０００６】
本発明は、上記の課題を解決するためになされたもので、使用後に掃除機本体に設けた電源コードの先端部のプラグを拘束するプラグ保持部に、プラグを収納してから電源コードをコードリールに巻取るように構成することにより、プラグの暴れを確実に防止することのできる安全で信頼性の高い電気掃除機を提供することを目的としたものである。
【課題を解決するための手段】
【０００７】
本発明に係る電気掃除機は、内部に、電動送風機が収容された電動送風機室及び電源コードが巻かれるコードリールが収容されたコードリール室が設けられた掃除機本体を有し、該掃除機本体に、前記電源コードの先端部に設けたプラグを拘束するプラグ保持部を設けたものである。
【発明の効果】
【０００８】
本発明によれば、簡単な構造で、電源コードをコードリールに巻取る際に、電源コードの先端部に設けたプラグの暴れを確実に防止できるので、安全で信頼性の高い電気掃除機を得ることができる。
【図面の簡単な説明】
【０００９】
【図１】本発明の実施の形態１に係る電気掃除機の掃除機本体の斜視図である。
【図２】図１の掃除機本体の内部構造を示す説明図である。
【図３】図１のプラグ保持部の作用説明図である。
【図４】図３のＡ−Ａ断面図である。
【図５】図４の他の例の説明図である。
【図６】本発明の実施の形態２に係る電気掃除機の掃除機本体の斜視図である。
【図７】本発明の実施の形態４に係る電気掃除機の掃除機本体の背面図である。
【図８】本発明の実施の形態５に係る電気掃除機の掃除機本体の斜視図である。
【図９】図８のプラグ保持部の作用説明図である。
【図１０】図９のＢ−Ｂ断面図である。
【図１１】図１０の作用説明図である。
【図１２】本発明の実施の形態６に係る電気掃除機のプラグ保持部の説明図である。
【図１３】本発明の実施の形態７に係る電気掃除機のプラグ保持部の説明図である。
【図１４】図１３の作用説明図である。
【図１５】本発明の実施の形態８に係る電気掃除機のコードリール及びその周辺の説明図である。
【図１６】図１５の作用説明図である。
【発明を実施するための形態】
【００１０】
［実施の形態１］
図１は本発明の実施の形態１に係る電気掃除機の掃除機本体の斜視図、図２は図１の掃除機本体の内部構造を示す説明図である。
電気掃除機の掃除機本体１は、下ケース２と、その後部上方に設けられた上ケース３と、上ケース３の前面側に設けられて、下ケース２に設けた後述の集塵室の上部開口部を開閉する前蓋４とからなっている。
【００１１】
５は下ケース２の前面側に設けられて、図示しないホースユニットが着脱可能に装着される吸込み口、６は上ケース３に回動可能に設けられたハンドル、７は下ケース２の後部側において両側壁に設けられた後車輪である。なお、図示してないが、下ケース２の下面前面側には、前車輪が設けられている。
【００１２】
８は下ケース２又は上ケース３に設けられたコード引出し口、１０はコード引出し口８の上方において、上ケース３の前後方向に設けられて、後述電源コード５１の先端部に設けたプラグ５２を拘束するプラグ保持部で、溝状のコード収納部１１と、その前端部に設けた凹状のプラグ収納部１２とからなっている。
【００１３】
３０は掃除機本体１の前面側に設けられて吸込み口５と連通する集塵室、３１は集塵室３０内に着脱可能に収容された紙パック式の集塵容器である。３３は集塵室３０の後部側において、仕切り板３２を介して一方の側に片寄って設けられた電動送風機室で、電動送風機３４が設置されており、仕切り板３２の電動送風機３４の前面側は格子状に形成され、集塵室３０側にフィルタ３５が配設されている。
【００１４】
３６は仕切り板３２の後面側において、電動送風機室３３に隣接して設けられたコードリール室で、コードリール４０が収容されている。このコードリール４０には電源コード５１が巻かれており、その先端部に設けたプラグ５２はコード引出し口８から引き出されている。
【００１５】
上記のように構成した電気掃除機のプラグ保持部１０は、図３、図４に示すように、コード引出し口８の上方において上ケース３の前後方向に設けられた溝状のコード収納部１１と、その先端部に設けられた凹状のプラグ収納部１２とからなっている。そして、コード収納部１１の幅は電源コード５１の径より広く形成されているが、必要に応じて開口部（上面）の一部に、電源コード５１の径より狭い幅狭部１１ａを設けてもよい。
【００１６】
また、プラグ収納部１２は、図４に示すように、プラグ５２の外形よりやや大きく形成されているが、その基部側（コード収納部１１に続く側）の開口部側には、プラグ５２の幅Ｗ2より狭い幅Ｗ1の抜け止め機能を有する幅狭部１２ａが形成されている。なお、この幅狭部１２ａはプラグ収納部１２の開口部の全長にわたって設けてもよい。
【００１７】
次に、上記のように構成した電気掃除機の電源コード５１の先端部の処理作用について説明する。
先ず、電気掃除機の不使用時は、電源コード５１及びその先端部に設けたプラグ５２は、図３に示すように、プラグ保持部１０に上から嵌入することにより保持される。このとき、図４に示すように、プラグ収納部１２の基部側の開口部の幅Ｗ1は、プラグ５２の幅Ｗ2より狭い幅狭部１２ａとなっているので、プラグ５２の軟質性を利用して弾性変形させ、プラグ収納部１２に押し込んで収納すると共に、電源コード５１をコード収納部１１に収納する。
【００１８】
これにより、プラグ５２はプラグ収納部１２に収納されて保持され、上面に設けた抜け止め機能を有する幅狭部１２ａにより、プラグ収納部１２から抜け出すことがなく、したがって、電源コード５１の先端部（プラグ５２）がブラブラすることがない。なお、コード収納部１１に幅狭部１１ａを設けた場合は、電源コード５１を弾性変形させてコード収納部１１に押し込んで収納すればよく、これにより、電源コード５１をより安定して保持することができる。
【００１９】
電気掃除機を使用するときは、プラグ５２を指でつかんで電源コード５１と共にプラグ保持部１０から取出し、コード引出し口８から電源コード５１を引き出してプラグ５２を商用電源のコンセントに接続して電源スイッチをＯＮし、掃除を行う。
【００２０】
掃除が終ったときは、プラグ５２をコンセントから引き抜いて、不使用時の場合と同様にプラグ５２及び電源コード５１をプラグ保持部１０に収納する。ついで、コード巻取りボタン４５を操作して、電源コード５１をコードリール４０に巻き取らせる。このとき、電源コード５１の一部及びプラグ５２はプラグ保持部１０に収納され、幅狭部１２ａによって抜け出し不能に保持されているので、電源コード５１が高速度でコードリール４０に巻き込まれても電源コード５１の先端部（プラグ３２）が飛び跳ねたりして暴れることがない。
【００２１】
図５は本実施の形態の他の例を示すもので、プラグ５２の両側壁に凸部５２ａを設けると共に、プラグ保持部１０のプラグ収納部１２の両側壁に、プラグ５２の凸部５２ａが嵌合する嵌合凹部１２ｂを設けたものである。
そして、プラグ５２をプラグ収納部１２に収納すると、プラグ５２の凸部５２ａがプラグ収納部１２の嵌合凹部１２ｂに嵌合係止することにより、プラグ５２の抜け出しや飛び跳ねを防止するようにしたものである。
【００２２】
上記の説明では、上ケース３にプラグ保持部１０を電源コード５１の巻取方向と平行に設けた場合を示したが、電源コード５１の巻取方向と異なる方向（例えば、垂直方向）にプラグ保持部１０を設けてもよく、あるいはプラグ保持部１０を下ケース２など、掃除機本体１の他の位置に設けてもよい。また、プラグ保持部１０をコード収納部１１とプラグ収納部１２とによって構成した場合を示したが、コード収納部１１を省略し、プラグ収納部１２だけで構成してもよい（以下の実施の形態においても同様である）。
本実施の形態によれば、簡単な構造で電源コード巻取り時における電源コード５１の先端部（プラグ５２）の暴れを防止できるので、安全で信頼性の高い電気掃除機を得ることができる。
【００２３】
［実施の形態２］
図６は本発明の実施の形態２に係る電気掃除機の掃除機本体の斜視図である。なお、実施の形態１と同じ部分には、同じ符号が付してある。
本実施の形態は、掃除機本体１の上ケース３に、実施の形態１のプラグ保持部１０と同じ構造のプラグ保持部１０を設けると共に、このプラグ保持部１０の上部開口部を開閉する蓋体１３を設けたものである。
【００２４】
本実施の形態においては、電源コード５１の先端部及びプラグ５２をプラグ保持部１０に収納し又は取出すときは蓋体１３を開放し、電源コード５１の先端部及びプラグ５２をプラグ保持部１０に収納したときは、蓋体１３を閉じる。
本実施の形態によれば、実施の形態１の場合とほぼ同様の効果を得ることができるが、さらに、電源コード５１をコードリール４０に巻取るときは、プラグ１２はプラグ保持部１０に収納されて蓋体１３が閉じられているので、プラグ５２の抜け出しや暴れをより確実に防止することができる。
【００２５】
［実施の形態３］
本実施の形態は、実施の形態２の掃除機本体１において、上ケース３等にプラグ保持部を設けず、上ケース３等に開閉可能に設けた蓋体１３の内側に、実施の形態１とほぼ同様のコード収納部１１とプラグ収納部１２とからなるプラグ保持部１０を設けたものである（図示せず）。
【００２６】
本実施の形態においては、電源コード５１の先端部及びプラグ５２をプラグ保持部１０に収納し又は取出すときは蓋体１３を開放し、電源コード５１の先端部及びプラグ５２をプラグ保持部１０に収納したときは、蓋体１３を閉じる。
本実施の形態によれば、実施の形態１の場合とほぼ同様の効果が得られるが、さらに、電源コード５１をコードリール４０に巻取るときはプラグ５２は蓋体１３に設けたプラグ収納部１２に収納されて蓋体が閉じられているので、プラグ５２の抜け出しや暴れを確実に防止することができる。
また、掃除機本体１のプラグ保持部１０を設けないので構造が簡単であり、プラグ２２の形状が変ったときでも蓋体１３だけを変えればよいので、対応が容易である。
【００２７】
［実施の形態４］
図７は本発明の実施の形態４に係る電気掃除機の背面図である。なお、実施の形態１と同じ部分にはこれと同じ符号が付してある。
実施の形態１〜３では、プラグ保持部１０を掃除機本体１の上ケース３の上面に設けた場合を示したが、本実施の形態は、実施の形態１と同様にコード収納部１１とプラグ収納部１２とからなるプラグ保持部１０を、掃除機本体１の下ケース２の後壁に設けたものである。なお、８は上ケース３の後壁に設けられて、コードリール４０に巻かれた電源コード５１を引出し又は巻戻すためのコード引出し口、９は上ケース３の後壁に設けた排気口である。
【００２８】
本実施の形態に係るプラグ保持部１０にプラグ５２等を収納し又は取出す作用及びこれによって得られる効果は、実施の形態１の場合とほぼ同様である。なお、本実施の形態においても、実施の形態２，３に係る発明を適用することができる。
【００２９】
［実施の形態５］
図８は本発明の実施の形態５に係る電気掃除機の掃除機本体の斜視図、図９は図８の要部の拡大図、図１０は図９のＢ−Ｂ断面図である。
本実施の形態は、コード引出し口８の上方において、上ケース３の上面に若干低い平坦部３ａを設け、この平坦部３ａにプラグ保持部１０を設けたものである。
【００３０】
このプラグ保持部１０は、平坦部３ａの電源コード５１の巻取方向と直交する方向に、プラグ５２の幅より若干広い間隔で、上端部に上面が中央部側に向って下方に傾斜する係止爪１５を有し、係止爪１５より下がプラグ５２の長さとほぼ等しいか又はこれより若干長い一対の保持片１４ａ，１４ｂを対向して立設すると共に、平坦部３ａの両保持片１４ａ，１４ｂの間に、プラグ５２のプラグ刃５３に対応して一対の貫通穴１６を設けたものである。
【００３１】
上記のように構成した本実施の形態において、電源コード５１の先端部に設けたプラグ５２をプラグ保持部１０に保持させる場合は、図１０に示すように、プラグ５２をプラグ保持部１０の両保持片１４ａ，１４ｂの係止爪１５の傾斜面の上から押し込んで、両保持片１４ａ，１４ｂを弾性変形させ、プラグ５２を両保持片１４ａ，１４ｂの間に挿入すると共に、プラグ刃５３を貫通穴１６に挿入する。
【００３２】
このとき、プラグ５２の基端部（図１０の上部）上には保持片１４ａ，１４ｂの係止爪１５が係止し又は近接して位置し、プラグ５２が抜け出すのを防止する。
掃除等のためプラグ５２を取出すときは、図１１に示すように、両保持片１４ａ，１４ｂを指等で左右に開いて、プラグ５２を上方に引き抜けばよい。
【００３３】
上記の説明では、上ケース３に平坦部３ａを設け、この平坦部３ａにプラグ保持部１０を設けた場合を示したが、必らずしも上ケース３ａに平坦部３ａを設ける必要がなく、傾斜面にプラグ保持部１０を設けてもよい。
また、上記の説明では、上ケース３の電源コード５１の巻取方向と直交する方向にプラグ保持部１０を設けた場合を示したが、他の方向（例えば、電源コード５１の巻取方向と平行な方向）、あるいは掃除機本体１の他の位置にプラグ保持部１０を設けてもよい。
本実施の形態によれば、実施の形態１の場合とほぼ同様の効果を得ることができる。
【００３４】
［実施の形態６］
図１２は本発明の実施の形態６に係る電気掃除機のプラグ保持部の説明図である。なお、実施の形態５と同じ部分にはこれと同じ符号を付してある。
実施の形態５では、プラグ保持部１０を構成する保持片１４ａ，１４ｂを上ケース３に一体に立設した場合を示したが、本実施の形態は、プラグ保持部１０を可動保持片１７ａ，１７ｂと、これを付勢する弾性体２０とによって構成したものである。
【００３５】
すなわち、上ケース３にプラグ５２の幅より若干広い距離を隔てて両側にガイド穴１７ａ，１７ｂを設けると共に、両ガイド穴１７ａ，１７ｂの間にプラグ５２のプラグ刃５３に対応して貫通穴１６を設け、ガイド穴１７ａ，１７ｂに、上端部に上面が中央部に向って下方に傾斜した係止爪１９を有する可動保持片１８ａ，１８ｂの下部を摺動自在に挿入し、ガイド穴１７ａ，１７ｂの両側において上ケース３の下面に設けた受け部３ｂと可動保持片１８ａ，１８ｂとの間に、可動保持片１８ａ，１８ｂを常時中央部側に付勢する、例えばコイルばねの如き弾性体２０を介装したものである。
【００３６】
上記のように構成したプラグ保持部１０において、プラグ５２をプラグ保持部１０に収納する場合は、プラグ５２を両可動保持片１８ａ，１８ｂの間の上方に位置させて圧下する。これにより、可動保持片１８ａ，１８ｂは弾性体２０の付勢力に抗して破線方向に摺動し、プラグ刃５３が貫通穴１６に挿入されてプラグ５２が上ケース３に当接すると、可動保持片１８ａ，１８ｂは弾性体２０に付勢されて元の位置に戻り、係止爪１９がプラグ３２の上端部に係止し又は近接して位置する。
【００３７】
プラグ５２を取出す場合は、指で可動保持片１８ａ，１８ｂを破線方向に摺動させ、プラグ５２を上方に引き抜けばよい。
本実施の形態においても実施の形態４の場合とほぼ同様の作用、効果が得られるが、さらに、可動保持片１８ａ，１８ｂを弾性体２０で付勢するようにしたので、プラグ５２を小さい力でプラグ保持部１０に収納することができ、取出しも容易である。
【００３８】
［実施の形態７］
図１３は本発明の実施の形態７に係る電気掃除機のプラグ保持部の説明図である。なお、実施の形態６と同じ部分には同じ符号が付してある。
図において、２１ａ，２１ｂは上面に中央部側に向って下方に傾斜する傾斜面が設けられた脚部２２を有し、対向配置されたほぼＬ字状の一対の可動保持部で、上部の対向面には、プラグ５２のプラグ刃５３に設けた穴（図示せず）に係止する係合凸部２３が設けられている。
【００３９】
この可動保持部２１ａ，２１ｂと上ケース３の下面に設けた受け部３ａ，３ｂとの間には、可動保持部２１ａ，２１ｂを中央部側に付勢する、例えばコイルばねの如き弾性体２０が介装されている。
２４は対向配置された可動保持部２１ａ，２１ｂの脚部２２の間に、外部からの駆動手段（図示せず）により上下方向に移動可能に設けられた解除体で、下面は可動保持部２１ａ，２１ｂの脚部２２の傾斜面に対応して逆山形状に形成されている。
【００４０】
上記のように構成したプラグ保持部１０にプラグ５２を収納する場合は、先ず、図１４に示すように、解除体２４を駆動手段により下方に移動させ、両可動保持部２１ａ，２１ｂを外方に移動させて脚部２２の間に挿入して両可動保持部２１ａ，２１ｂを外方に移動させる。これにより、可動保持部２１ａ，２１ｂは中央部から離れて位置する。
【００４１】
この状態でプラグ５２のプラグ刃５３を上ケース３に設けた貫通穴１６に挿入し、プラグ５２の先端部が上フレーム３に当接したときは、駆動手段により解除体２４を上方に移動させる。これにより、可動保持部２１ａ，２１ｂは、図１３に示すように、弾性体２０に付勢されて中央部に向って移動し、その係合凸部２３がプラグ刃５３の穴に嵌入し係止する。この結果、可動保持部２１ａ，２１ｂは貫通穴１６に挿入されたプラグ刃５３を両側から挟んで、プラグ５２を確実に保持する。
【００４２】
掃除などのため、プラグ５２をプラグ保持部１０から取外す場合は、図１４に示すように、駆動手段により解除体２４を下方に移動させ、可動保持部２１ａ，２１ｂを外方に移動させて係合凸部２３をプラグ刃５３の穴から離脱させ、プラグ５２を上方に引き抜けばよい。
プラグ５２を取外したときは解除体２４を上方に移動させ、可動保持部２１ａ，２１ｂを中央部側に移動させる。
【００４３】
本実施の形態においても実施の形態４の場合とほぼ同様の効果が得られるが、さらに、可動保持部２１ａ，２１ｂの係合凸部２３をプラグ刃５３の穴に嵌入して係止させるようにしたので、より確実にプラグ５２を保持することができる。
また、可動保持体２１ａ，２１ｂを、外部から操作する駆動手段によって移動する解除体２４によってプラグ５２を保持又は解除するようにしたので、プラグ５２の着脱操作が容易である。
【００４４】
［実施の形態８］
図１５は本発明の実施の形態８に係る電気掃除機のコードリール及びその周辺の説明図である。なお、実施の形態１と同じ部分にはこれと同じ符号が付してある。
１０は実施の形態１の場合と同様に上ケース３に設けたプラグ保持部で、その底部にはコード巻取りボタン４５をガイドするボタン穴１０ａが設けられている。
【００４５】
ボタン穴１０ａ内に上下に移動可能に位置するコード巻取りボタン４５の下部はほぼＬ字状に形成されて、その先端部にはコードリール室３６の仕切り壁３７に設けた貫通穴３８に挿通され、下方に延出した作動桿４６が設けられている。４７は仕切り壁３７とコード巻取りボタン４５との間に介装され、コード巻取りボタン４５を常時上方に付勢してボタン穴１０ａから突出させるコイルばねの如き弾性体である。
【００４６】
４１は長手方向のほぼ中心部が軸４２によりコードリール４０に軸止され、仕切り壁３７との間に介装された弾性体４６により、先端部が常時上方（矢印ｂ方向）に向って回動するように付勢されたブレーキレバーである。このブレーキレバー４１の先端部はコード巻取りボタン４５の作動桿４６と対峙しており、他端には、コードリール４０の外周とコードリール室３６の壁面３６ａとの間に位置するブレーキローラ４４が設けられている。なお、コードリール４０は図示しない付勢手段により、矢印ａ方向の回転力が付与されている。
【００４７】
上記のように構成した本実施の形態において、掃除等のためプラグ５２をプラグ保持部１０に収納していない場合は、図１５に示すように、コード巻取りボタン４５は弾性体４７に付勢されてガイド穴１０ａからプラグ保持部１０内に突出している。
一方、ブレーキレバー４１は弾性体４３に付勢されて軸４２を中心に矢印ｂ方向に回転してほぼ水平に保持され、ブレーキローラ４４がコードリール室３６の壁面３６ａと、コードリール４０の周面との間に押し込まれ、コードリール４０にブレーキ作用を付与してその回転を阻止している。
【００４８】
掃除等が終って、図１６に示すように、プラグ５２をプラグ保持部１０に収納すると、プラグ５２によりコード巻取りボタン４５が圧下され、これに伴って作動桿４６が下降し、ブレーキレバー４１の先端部を圧下する。これにより、ブレーキレバー４１は軸４２を中心に矢印Ｃ方向に回転し、他端に設けたブレーキローラ４４を上方に回動させ、コードリール室３６の壁面とコードリール４０の周面から離脱し、コードリール４０のブレーキ作用を解除する。
【００４９】
これにより、コードリール４０は矢印ａ方向に回転し、電源コード５１を巻取る。このとき、プラグ５２はプラグ保持部１０に収納されているので、飛び跳ねたり暴れたりすることがない。
本実施の形態においても、実施の形態２，３の発明を適用することができる。
【００５０】
本実施の形態によれば、プラグをプラグ保持部１０に収納すると同時に、コード巻取りボタン４５を圧下させ、コードリール４０を自動的に回動させて電源コード５１を巻取るようにしたので、実施の形態１の場合とほぼ同様の効果が得られると共に、電源コード５１を簡単にコードリール４０に巻取ることができ、コード巻取りボタン４５を圧下する操作を省略することができる。
【００５１】
上記の説明では、集塵室３０内に紙パック式の集塵容器３１を収容した場合を示したが、これに限定するものではなく、サイクロン集塵容器又はその他の集塵容器であってもよい。
また、上記の説明では集塵容器３１を収容する集塵室３０のある図示の電気掃除機に本発明を実施した場合を示したが、集塵室がなくサイクロン集塵容器が本体外へ露出している電気掃除機等、他の構造の電気掃除機にも本発明を実施することができる。
【符号の説明】
【００５２】
１  掃除機本体、２  下ケース、３  上ケース、４  前蓋、８  コード引出し口、１０  プラグ保持部、１１  コード収納部、１２  プラグ収納部、１３  蓋体、１４ａ，１４ｂ  保持片、１５，１９  係止爪、１６  貫通穴、１７ａ，１７ｂ  ガイド穴、１８ａ，１８ｂ  可動保持片、２０  弾性体、２１ａ，２１ｂ  可動保持部、２３  係合凸部、２４  解除体、３０  集塵室、３３  電動送風機室、３４  電動送風機、３６  コードリール室、４０  コードリール、４１  ブレーキレバー、４４  ブレーキローラ、４５  コード巻取りボタン、４６  作動桿、５１  電源コード、５２  プラグ、５３  プラグ刃。
【図１】
2011139765.tif 000003
【図２】
2011139765.tif 000004
【図３】
2011139765.tif 000005
【図４】
2011139765.tif 000006
【図５】
2011139765.tif 000007
【図６】
2011139765.tif 000008
【図７】
2011139765.tif 000009
【図８】
2011139765.tif 000010
【図９】
2011139765.tif 000011
【図１０】
2011139765.tif 000012
【図１１】
2011139765.tif 000013
【図１２】
2011139765.tif 000014
【図１３】
2011139765.tif 000015
【図１４】
2011139765.tif 000016
【図１５】
2011139765.tif 000017
【図１６】
2011139765.tif 000018